(57)【要約】【課題】３次元イメージの生成が容易で費用及び時間を節減すること。【解決手段】３次元イメージ自動生成装置及び方法は、イメージ撮影部とイメージ撮影部によって撮影されたイメージを用いて３次元イメージを生成するイメージ管理装置を含み、イメージ撮影部は、水平面を有して水平面に被写体が位置して回転軸を中心に回転するターンテーブルと、回転軸に対して垂直または平行であると共に回転軸に対して１つ以上の照明傾斜角を有するように配置されて被写体に光を照射する複数個の照明部と、回転軸に対して垂直または平行であると共に回転軸に対して１つ以上の撮影傾斜角を有するように配置されて被写体のイメージを撮影するカメラ部と、ターンテーブルを中心にカメラ部に対向されるように位置する背景部を含む３次元イメージ自動生成装置とすることで、３次元イメージの生成が容易で費用及び時間を節減することができる。【選択図】図２
2007264592.tif 000002
【特許請求の範囲】
【請求項１】
イメージ撮影部と前記イメージ撮影部により撮影されたイメージを用いて３次元イメージを生成するイメージ管理装置を含み、
前記イメージ撮影部は、
水平面を有し、前記水平面に被写体が位置して回転軸を中心に回転するターンテーブルと、
前記回転軸に対して垂直または平行であると共に前記回転軸に対して１つ以上の照明傾斜角を有するように配置されて被写体に光を照射する複数個の照明部と、
前記回転軸に対して垂直または平行であると共に前記回転軸に対して１つ以上の撮影傾斜角を有するように配置されて被写体のイメージを撮影するカメラ部と、
前記ターンテーブルを中心に前記カメラ部に対向されるように位置する背景部を含む３次元イメージ自動生成装置。
【請求項２】
第１項において、
前記照明傾斜角と前記撮影傾斜角は、同一または実質的に同一な３次元イメージ自動生成装置。
【請求項３】
第２項において、
前記照明傾斜角及び前記撮影傾斜角は、前記回転軸に対して所定角度に順次に折曲される３次元イメージ自動生成装置。
【請求項４】
第３項において、
前記照明傾斜角及び前記撮影傾斜角は、それぞれ２つが形成されて順次に約３０°ずつ折曲されて形成される３次元イメージ自動生成装置。
【請求項５】
第２項において、
前記３次元イメージ自動生成装置は、前記回転軸に垂直または平行であると共に前記撮影傾斜角及び前記照明傾斜角と同一な傾斜角を有して配置される複数個のパネルを備え、
前記照明部及び前記カメラ部は、前記パネルに固定される３次元イメージ自動生成装置。
【請求項６】
第５項において、
前記パネルは、フレームによってそれぞれ支持される３次元イメージ自動生成装置。
【請求項７】
第１項において、
前記カメラ部の中心を通る線は、いずれも前記中心軸と同一な平面にある３次元イメージ自動生成装置。
【請求項８】
第１項において、
前記照明部は、前記カメラ部の左右に一対が配置された発光ダイオードである３次元イメージ自動生成装置。
【請求項９】
第１項において、
前記背景部は、一定の曲率半径を有する周部及び前記周部の一端部と連結され、前記ターンテーブルが位置するセンターホールを備えた水平部からなる３次元イメージ自動生成装置。
【請求項１０】
第９項において、
前記周部と前記水平部の連結部には、一定の曲率半径を有するラウンド部が形成されている３次元イメージ自動生成装置。
【請求項１１】
第９項において、
前記ターンテーブルの水平面、前記周部及び前記水平部のうち前記照明部によって光が照射される面は、同一な色を有する３次元イメージ自動生成装置。
【請求項１２】
第１１項において、
前記ターンテーブルの水平面、前記周部及び前記水平部のうち前記照明部によって光が照射される面は、白色を呈する３次元イメージ自動生成装置。
【請求項１３】
第１項において、
前記背景部は、一定の半径を有する半球形状の周部及び前記周部の一端部と連結され、前記ターンテーブルが位置するセンターホールを備えた水平部からなる３次元イメージ自動生成装置。
【請求項１４】
第１項において、
前記イメージ管理装置は、前記イメージ撮影部により撮影されたイメージを伝送された後、自動に編集及び合成して３次元イメージファイルを生成する３次元イメージ自動生成装置。
【請求項１５】
イメージ撮影部と前記イメージ撮影部により撮影されたイメージを用いて３次元イメージを生成するイメージ管理装置を用いて３次元イメージを自動に生成する方法において、
（ａ）前記イメージ管理装置が前記イメージ撮影部に動作制御信号を伝送するステップと、
（ｂ）前記イメージ撮影部が前記動作制御信号によって被写体を撮影した後、デジタルイメージを生成した後、前記イメージ管理装置に伝送するステップと、
（ｃ）前記イメージ管理装置が前記イメージ撮影部により撮影されたデジタルイメージを受信及び保存するステップと、
（ｄ）前記イメージ管理装置が前記デジタルイメージを加工した後、３次元イメージを自動に生成した後、一定のフォーマットの３次元イメージファイルを生成するステップを含む３次元イメージ自動生成方法。
【請求項１６】
第ｌ５項において、
前記デジタルイメージを加工するステップは、
（ａ）前記イメージ撮影部から受信されたデジタルイメージを補正するステップと、
（ｂ）３次元ＶＲイメージ機能を付与するステップと、
（ｃ）前記デジタルイメージの圧縮及び速度を調節するステップと、
（ｄ）デジタルイメージのファイルフォーマットを決定した後、決定されたフォーマット形態で３次元イメージを生成するステップを含む３次元イメージ自動生成方法。
【請求項１７】
第１６項において、
前記（ｂ）ステップは、クロマキー、サイズ補正、露出補正、ホワイトバランス補正、自動センタリング補正、オートフォーカス補正のうち少なくとも１つ以上が行われる３次元イメージ自動生成方法。
【請求項１８】
第１６または１７項において、
前記（ｃ）ステップは、画面の上下及び左右回転、拡大、アニメーション機能の少なくとも１つ以上の機能が付与される３次元イメージ自動生成方法。
【請求項１９】
第１５乃至１８項のいずれかにおいて、
前記イメージ管理装置は、前記３次元イメージファイルを外部の移動式保存媒体に伝送するステップを含む３次元イメージ自動生成方法。
【発明の詳細な説明】
【技術分野】
【０００１】
本発明は、３次元イメージ自動生成装置に関するものである。
【背景技術】
【０００２】
インターネット、シーディーロム（ＣＤ−ＲＯＭ）等のようなデジタル媒体を用いた電子商取引、仮想博物館、デジタル百科事典及び電子カタログの利用が徐々に増えている趨勢である。このような場合、仮想現実を通じての物体への視覚的接近がさらに効果的に行えるように、写真のような平面イメージだけでなく、まるで目の前に実際の対象物があるような両眼立体時による十分な立体感を使用者が対象物を見る方向や姿勢等を自由に選択可能にさせるための３次元イメージとともに（または３次元イメージのみを独自に）提供する必要がある。
【０００３】
このように、教育効果、製品に対する実際的情報提供等の多様な目的を達成するために３次元コンテンツの利用が徐々に増えている。ところが、従来の３次元コンテンツ提供方法は、作業者が撮影対象物（例えば、彫刻品、販売用製品等）を多数の角度から受動で撮影した後、撮影された写真を合成して１つの３次元イメージとして生成する方法、または動画を撮影して動画ファイルを提供する方法等が提供されている。
【０００４】
受動で撮影された複数の写真を合成して１つの３次元イメージを作る方法は、需要者（例えば、購買者、観覧者等）の要求に従う角度のイメージが提供できるという長所を有する反面、３次元イメージを作るために撮影すべき写真の数量が多く、撮影時に長時間を要求し、また３次元イメージ生成過程が複雑になる問題点があり、結果的に３次元イメージ生成費用を増加させる問題点もあった。また、全ての撮影対象物を複数回撮影する時、写真の中心点が一致していない写真が存在する場合には、最初から撮影作業をやり直さなければならない場合が発生することもあり、手作業で多様な角度を再撮影する過程で人の視覚とカメラレンズの角度による作業誤差が生じる問題点もあった。
【０００５】
これに比べて、動画を撮影して動画ファイルを提供する方法は、優れた撮影機資材を用いて連続的に撮影対象物を撮影した後、１つの電子ファイルで提供することができて電子ファイル生成時間を短縮させ、電子ファイル生成過程が容易であるという長所があるが、需要者が所望の角度のイメージを自由に得られないという問題点があった。また、既存の動画ファイルの容量が非常に大きいので該当ファイルを提供するウェブサーバ（Ｗｅｂ  Ｓｅｒｖｅｒ）が正常に動作することができない場合（例えば、ダウン（ｄｏｗｎ）等）もあり、多数個の製品または資料を広報するのには限界があった。
【０００６】
すなわち、従来技術における３次元コンテンツ提供方法は、３次元コンテンツの生成費用、作業時間、作業費用、需要者の要求の不満足等のような多くの問題点を抱えていた。
【発明の開示】
【発明が解決しようとする課題】
【０００７】
本発明は、３次元イメージの生成が容易で費用及び時間を節減することができる３次元イメージ自動生成装置を提供するものである。
【課題を解決するための手段】
【０００８】
本発明の一側面による３次元イメージ自動生成装置は、イメージ撮影部とイメージ撮影部により撮影されたイメージを用いて３次元イメージを生成するイメージ管理装置を含み、イメージ撮影部は、水平面を有して該水平面上に配置された被写体を回転軸を中心に回転させるターンテーブルと、回転軸に対して垂直または平行であると共に回転軸に対して１つ以上の照明傾斜角を有するように配置されて被写体に光を照射する複数個の照明部と、回転軸に対して垂直または平行であると共に回転軸に対して１つ以上の撮影傾斜角を有するように配置されて被写体のイメージを撮影するカメラ部と、ターンテーブルを中心にカメラ部に対向されるように位置する背景部を有する。
【０００９】
本発明による３次元イメージ自動生成装置の実施例は、次のような一つまたはそれ以上の特徴を有する。例えば、照明傾斜角と撮影傾斜角は、同一であるかまたは実質的に同一であってもよく、照明傾斜角及び撮影傾斜角は、回転軸に対して所定角度で順次に折曲されてもよい。また、照明傾斜角及び撮影傾斜角は、それぞれ２つまたは幾つかが形成されて順次に約３０°ずつまたは９０°未満の角度で折曲されて形成されてもよい。
【００１０】
３次元イメージ自動生成装置は、回転軸に垂直または平行であると共に撮影傾斜角及び照明傾斜角と同一な傾斜角を有して配置される複数個のパネルを備え、照明部及びカメラ部は、パネルに固定されてもよく、パネルは、フレームによってそれぞれ支持されてもよい。カメラ部の中心を通る線は、いずれも中心軸と同一な平面にあり、照明部は、カメラ部の左右に一対が配置された発光ダイオードであってもよい。
【００１１】
また、背景部は、一定の曲率半径を有するかまたは半球形状の周部及び周部の一端部と連結されてターンテーブルが位置するセンターホールを備えた水平部からなってもよく、周部と水平部の連結部には、一定の曲率半径を有するラウンド部が形成されてもよい。ターンテーブルの水平面、周部及び水平部のうち照明部によって光が照射される面は、同一な色、例えば、白色を有してもよい。イメージ管理装置は、イメージ撮影部により撮影されたイメージを伝送された後、自動に編集及び合成して３次元イメージファイルを生成するようにしてもよい。
【００１２】
本発明の一側面による３次元イメージ自動生成方法は、イメージ撮影部とイメージ撮影部により撮影されたイメージを用いて３次元イメージを生成するイメージ管理装置を用いて３次元イメージを自動に生成する方法において、イメージ管理装置がイメージ撮影部に動作制御信号を伝送するステップと、イメージ撮影部が動作制御信号によって被写体を撮影した後、デジタルイメージを生成した後、イメージ管理装置に伝送するステップと、イメージ管理装置がイメージ撮影部により撮影されたデジタルイメージを受信及び保存するステップと、イメージ管理装置がデジタルイメージを加工した後、３次元イメージを自動に生成した後、一定のフォーマットの３次元イメージファイルを生成するステップとを含む。
【００１３】
デジタルイメージを加工するステップは、イメージ撮影部から受信されたデジタルイメージを補正するステップと、３次元ＶＲイメージ機能を付与するステップと、デジタルイメージの圧縮及び速度を調節するステップと、デジタルイメージのファイルフォーマットを決定した後、決定されたフォーマット形態で３次元イメージを生成するステップを含む。
【００１４】
また、イメージを自動補正するステップは、クロマキー、サイズ補正、露出補正、ホワイトバランス補正、自動センタリング補正、オートフォーカス補正のうち少なくとも１つ以上が行われてもよく、３次元ＶＲイメージ機能を付与するステップは、また、圧縮及び速度を調節するステップは、画面の上下及び左右回転、拡大、アニメーション機能のうち少なくとも１つ以上の機能が付与されてもよい。また、イメージ管理装置は、３次元イメージファイルを外部の移動式保存媒体に伝送するステップをさらに含んでもよい。
【００１５】
以下、本発明による３次元イメージ自動生成装置の実施例を添付図面を参照して詳しく説明することにし、添付図面を参照して説明するに当り、同一であるかまたは対応する構成要素は、同一な図面番号を付与し、これに対する重複する説明は、省略する。
【発明の効果】
【００１６】
本発明は、３次元イメージの生成が容易で費用及び時間を節減することができる３次元イメージ自動生成装置を提供することができる。
【発明を実施するための最良の形態】
【００１７】
図１を参照すると、本発明による３次元イメージ自動生成装置は、イメージ撮影部（１０）及びイメージ管理装置（３０）を含む。
【００１８】
イメージ撮影部（１０）は、イメージ管理装置（３０）の制御信号（すなわち、ターンテーブルの回転速度制御信号、ターンテーブルの回転角度制御信号）に相応する状態で撮影対象物を撮影し、撮影されたデジタルイメージ（例えば、ＪＰＥＧフォーマットのイメージ）をイメージ管理装置（３０）に伝達する機能を行う。イメージ撮影部（１０）の詳細構成は、追って図２ないし図６を参照して詳しく説明することにし、３次元イメージ自動生成装置の全体的な構成に対して説明する。
【００１９】
イメージ管理装置（３０）は、イメージ撮影制御部（３３）、イメージ撮影保存部（３１）、３次元イメージ生成部（３７）、３次元イメージ保存部（４３）、送受信部（４１）、３次元イメージ表示制御部（４７）、表示部（４５）、入力部（３５）及び制御部（３９）を含む。
【００２０】
イメージ撮影制御部（３３）は、イメージ撮影部（１０）の状態を制御するための制御信号（すなわち、ターンテーブルの回転速度制御信号、ターンテーブルの回転角度制御信号）を生成してイメージ撮影部（１０）に伝達する機能を有する。また、撮影イメージ制御部（３３）は、イメージ撮影部（１０）から受信された撮影イメージを受信して制御部（３９）の制御によってイメージ撮影保存部（３１）に保存する機能を有する。イメージ撮影制御部（３３）で生成する制御信号によってイメージ撮影部（１０）で撮影されるデジタルイメージは、需要者の要求に最も好的な大きさのデジタルイメージである。また、イメージ撮影制御部（３３）は、イメージ撮影部（１０）により撮影されたデジタルイメージのファイルフォーマットを変更（例えば、ＪＰＥＧフォーマットをＢＭＰフォーマットに変換）する機能、多数個の互いに異なるファイル（例えば、ＪＰＥＧフォーマット、ＢＭＰフォーマット、ＭＰＥＧフォーマットの多数個のファイル）を１つのファイルに合成（Ｍｅｒｇｅ）する機能等も行うことができる。勿論、図１には図示されていないが、イメージ撮影制御部（３３）とイメージ撮影部（１０）との間のデータ送受信を中継する送受信部がさらに含まれてもよい。
【００２１】
イメージ撮影保存部（３１）は、イメージ撮影制御部（３３）の制御信号に相応する状態でイメージ撮影部（１０）により撮影された複数のデジタルイメージを保存する。また、イメージ撮影保存部（３１）は、それぞれのデジタルイメージに相応する撮影状態情報（例えば、撮影時点におけるターンテーブルの回転角度、被写体の撮影面情報）をさらに保存することができる。
【００２２】
３次元イメージ生成部（３７）は、イメージ撮影保存部（３１）に保存されている複数のデジタルイメージを加工して１つの電子ファイル（例えば、ＮＶＲフォーマットのファイル）を生成する。勿論、実際的な１つの３次元イメージを生成する代わりに需要者の目には１つの３次元イメージのように見えるようにするために、複数のデジタルイメージを連結して１つの動画のように認識できるようにする方法も適用できる。ＮＶＲフォーマットの電子ファイルは、圧縮された形態の電子ファイルとして原本ファイルを約２００分のｌ以下に圧縮することができ、複数のデジタルイメージを加工、修正して１つの動画のように認識できるようにする電子ファイルである。したがって、ＮＶＲフォーマットの電子ファイルを生成する前にイメージ撮影保存部（３１）に保存されたデジタルイメージの背景、中心軸等を補正（例えば、中心軸合わせ）して複数のデジタルイメージをマルチに拡張する等の作業が先行されてもよい。
【００２３】
３次元イメージ保存部（３１）は、３次元イメージ生成部（３７）により生成されたＮＶＲフォーマットの電子ファイルを保存する機能を行う。勿論、イメージ撮影保存部（３１）と３次元イメージ保存部（４３）は、１つの保存部として統合されてもよい。
【００２４】
送受信部（４１）は、３次元イメージ保存部（４３）に保存されているＮＶＲフォーマットの電子ファイルを外部ウェブサーバ（４９）（例えば、電子商取引サーバ等）に伝送し、外部ウェブサーバ（４９）からの要請事項を受信する機能を行う。
【００２５】
３次元イメージ表示制御部（４７）は、生成されたＮＶＲフォーマットの電子ファイルを３次元イメージ形態で表示部（４５）に表示されるようにし、また、使用者によって入力された制御命令（例えば、左右回転、拡大縮小等）に相応するように当該イメージが変換されて表示部（４５）に示されるようにする機能を行う。
【００２６】
表示部（４５）は、３次元イメージを表示するための手段であり、入力部（３５）は、表示制御命令または作業者によって撮影対象物の大きさ等を入力されるための手段である。図１には、イメージ管理装置（３０）内に含まれた表示部（４５）を通じて３次元イメージが表示される場合のみが仮定されているが、イメージ管理装置（３０）と別の表示装置が結合されて当該表示装置を通じて３次元イメージが表示されるようにすることもできるのは当然である。
【００２７】
制御部（３９）は、自動に３次元イメージを生成して提供することができるようにするためにイメージ撮影制御部（３３）、イメージ撮影保存部（３１）、３次元イメージ生成部（３７）、３次元イメージ保存部（４３）、送受信部（４１）、３次元イメージ表示制御部（４７）等を制御する機能を行う。
【００２８】
図１に図示された３次元イメージ生成装置の構成は、本発明を説明するための一例に過ぎず、図１に含まれた一部の構成要素（例えば、表示部、入力部等）は、省略されるかまたは外部装置（例えば、コンピュータ等）と結合されて同一な機能を行うようにすることができる。また、本発明によるイメージ管理装置（３０）は、別のハードウェア構成を有しておらず、コンピュータ等に設置されて運用されるソフトウェアとしても具現されることができる。
【００２９】
以下において、図２ないし図６を参照しながら、３次元イメージ自動生成装置のうちイメージ撮影部（１０）の一実施例に対して説明する。
【００３０】
図２を参照すると、本発明の一実施例に係るイメージ撮影部（１０）は、一定の大きさを有するケース（１９）を備え、ケース（１９）の内部には、被写体（未図示）が位置するターンテーブル（３７）、被写体に光を照射する照明部（１７）及び被写体を撮影するカメラ部（１５）が備えられている。また、ターンテーブル（２７）の周りには、撮影時の背景になる背景部（２１）が位置している。また、照明部（１７）及びカメラ部（１５）は、パネル（１３）に固定され、それぞれのパネル（１３）は、フレーム（１１）によって支持される。
【００３１】
本実施例に係るイメージ撮影部（１０）で、カメラ部（１５）及び照明部（１７）は、ターンテーブル（２７）の回転軸に対して水平及び垂直に配置されると共に所定傾斜角を有して配置されているという点に特徴がある。したがって、被写体をターンテーブル（２７）上に載置した後、ターンテーブル（２７）を回転させながら、カメラ部（１５）を用いて被写体に対して多様な角度からイメージを撮影するため（図４参照）、３次元イメージを容易に生成することができる。
【００３２】
ターンテーブル（２７）は、被写体が位置する平らな水平面（２９）を有して一定の回転軸（Ｘ）を中心に回転する。ターンテーブル（２７）は、電気モータ等のような一定の駆動装置によって回転し、制御部（３９）の制御信号によって回転速度及び回転角度等が制御される。回転軸（Ｘ）は、水平面（２９）と垂直を成すが、ターンテーブル（２７）は、回転軸（Ｘ）を中心に回転するようになる。
【００３３】
水平面（２９）には、被写体が位置し、一定の色、例えば白色を呈している。このように水平面（２９）が白色のような一定の色を呈することは、水平面の色が被写体等に投影されることを防止するためである。また、水平面（２９）は、背景部（２１）に形成されたセンターホール（２５）を通じて外部に露出され、水平面（２９）の高さは、水平部（２６）の上面と実質的に同一である。これは、照明部（１７）によって光が照射されることによってセンターホール（２５）の外部に突出されたターンテーブル（２７）の一部に対する陰影が生成されることを防止するためである。
【００３４】
カメラ部（１５）及び照明部（１７）は、回転軸（Ｘ）に対して垂直または平行に位置すると共に一定の傾斜角（図４参照）を有してターンテーブル（２７）から一定間隔離隔されて位置する。このように配置されたカメラ部（１５）は、多様な角度で被写体を同時に撮影するため、３次元イメージ生成が容易である。カメラ部（１５）は、イメージ撮影制御部（３１）から受信される制御信号によってターンテーブル（２７）が一定角度で回転した後、被写体のイメージを撮影してデジタルイメージを生成する。カメラ部（１５）は、イメージ撮影制御部（３１）から制御信号を受信し、撮影されたイメージをイメージ撮影制御部（３１）に伝送するためにケーブルを通じて連結されてもよい。カメラ部（１５）は、一般的なＣＣＤ（Ｃｈａｒｇｅｄ  Ｃｏｕｐｌｅｄ  Ｄｅｖｉｃｅ）またはＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）カメラモジュールであってもよく、これに限定されるのではない。
【００３５】
図３ないし図４を参照すると、カメラ部（１５）は、それぞれのパネル（１３ａ、１３ｂ、１３ｃ、１３ｄ）に固定された複数個からなる。カメラ部（１５）は、ターンテーブル（２７）の回転軸（Ｘ）に平垂直に配置されたカメラモジュール（１５ａ）、回転軸（Ｘ）に平行に配置されたカメラモジュール（１５ｄ）、回転軸（Ｘ）と撮影傾斜角を成して配置されたカメラモジュール（１５ｂ、１５ｃ）からなる。それぞれのカメラモジュール（１５ａ、１５ｂ、１５ｃ、１５ｄ）の中心線、すなわち、カメラモジュールのレンズの中心を通過する線と中心軸（Ｘ）は、いずれも同一な平面にある。すなわち、それぞれのカメラモジュール（１５ａ、１５ｂ、１５ｃ、１５ｄ）は、図４の矢印（Ｙ）方向から観察する場合、いずれも一直線上に位置するが、これは、被写体に対するさらに正確なイメージを得るためである。
【００３６】
図４を参照すると、それぞれのカメラモジュール（１５ａ、１５ｂ、１５ｃ、１５ｄ）は、隣接するカメラモジュールに対して約３０°の撮影傾斜角を有して配置される。カメラモジュール（１５ｃ）は、中心軸（Ｘ）に対して３０°の撮影傾斜角を有して位置し、隣接するカメラモジュール（ｌ５ｂ）は、中心軸（Ｘ）に対して６０゜の撮影傾斜角を有して配置される。したがって、本実施例に係るカメラモジュール（１５ａ、１５ｂ、１５ｃ、１５ｄ）は、正１２角形の一部面に沿って配置された形態を有する。勿論、本発明は、これに限定されず、必要に応じて正ｎ角形（ｎは、４以上の自然数である）の一部に沿って配置されてもよい。
【００３７】
図３に図示されたように、カメラ（１５ａ、１５ｂ、１５ｃ、１５ｄ）の左右には、一対の照明部（１７）が配置されている。照明部（１７）は、被写体に一定の光を照射するが、一般的な発光ダイオード（Ｌｉｇｈｔｉｎｇ  Ｅｍｉｔｔｉｎｇ  Ｄｉｏｄｅ）であってもよい。照明部（１７）もまた図４の矢印方向から観察する場合、一直線上に位置する。照明部（１７）は、カメラ部（ｌ５）とともに中心軸（Ｘ）と水平を成すか（１７ａ）、垂直を成すか（１７ｄ）または一定の照明傾斜角（図３ないし図４におけるように、３０°及び６０°）を成して配置されてもよい。
【００３８】
本実施例では、照明部（１７）をカメラ部と同一な面に配置したが、本発明は、これに限定されるのではなく、必要に応じて照明傾斜角と撮影傾斜角等を異にして配置してもよいことは言うまでもない。また、本実施例に係る照明部（１７）は、カメラモジュール（１５ａ、１５ｂ、１５ｃ、１５ｄ）の左右に一対が配置されているが、カメラモジュール（１５ａ、１５ｂ、１５ｃ、１５ｄ）の上下及び／または左右等、必要に応じて多様に配置されてもよい。
【００３９】
背景部（２１）は、図４に示されたようにカメラ部（１５）及び照明部（１７）と一定間隔離隔されて位置し、ターンテーブル（２７）を中心にカメラ部（１５）に対向されるように位置する。背景部（２１）は、カメラ部（ｌ５）が被写体を撮影する場合、被写体の背景にイメージが生成されることを防止することによって、被写体に対する正確なイメージが生成されるようにする。図５を参照すると、背景部（２ｌ）は、一定の曲率半径を有する周部（２３）及び周部（２３）の一端部で水平方向に形成された水平部（２６）を備える。
【００４０】
周部（２３）は、一定の曲率半径を有して垂直に位置しており、カメラ部（１５）が被写体を撮影する場合、被写体に対する背景になる。周部（２３）の少なくとも内面は、全体的に同一な色、例えば、白色を呈しているため、被写体に周部（２３）内面の色が投影されることを防止することができる。周部（２３）と水平部（２６）の連結部には、図５に図示されたようにラウンド部（２４）が形成されている。ラウンド部（２４）は、周部（２３）の下端部と水平部（２６）を滑らかに連結することによって、水平部（２６）及び周部（２３）の連結部分に陰影の発生を防止する。
【００４１】
本実施例では、周部（２３）が一定の曲率半径を有するが、本発明は、これに限定されるのではなく、陰影を発生させないと共に被写体に対する背景になるのであれば、いずれの形状でも可能である。例えば、周部（２３）は、平面または半円球形状を有するように製作されることができる。
【００４２】
水平部（２６）は、周部（２３）の下端部から水平方向に延長され、センターホール（２５）を備える。センターホール（２５）を介してターンテーブル（２７）の水平面（２９）が外部に突出され、ターンテーブル（２７）による陰影が発生されることを防止するために、水平面（２９）と水平部（２６）の高さを同一または実質的に同一に配置することができる。水平部（２６）の上面、すなわち、カメラ部（１５）により撮影され得る面の色も白色のような同一な色を呈することができる。
【００４３】
以下において、図４を参照してイメージ撮影部（３０）の撮影方法を説明する。
【００４４】
イメージ撮影制御部（３３）から制御信号が伝送されると、ターンテーブル（２７）は、一定の角度及び速度で回転する。この時、照明部（１７）は、常に光を被写体に照射するかまたはカメラ部（１５）の撮影時のみに光を照射することができる。ターンテーブル（２７）の回転が完了すると、それぞれのカメラモジュール（１５ａ、１５ｂ、１５ｃ、１５ｄ）は、被写体に対する一定の経線に一列に位置する。すなわち、図４に図示されたようにそれぞれのカメラモジュール（１５ａ、１５ｂ、１５ｃ、１５ｄ）は、被写体に対する４つの緯線に配置されている。また、カメラモジュール（１５ａ、１５ｂ、１５ｃ、１５ｄ）のそれぞれが被写体のそれぞれの緯線に対するイメージを撮影することによって、１つの経線に対する撮影が完了する。
【００４５】
また、イメージ撮影制御部（３３）から制御信号が伝送されると、被写体の他の経線に対するイメージを撮影するためにターンテーブル（２７）が一定の角度で回転する。回転角度は、被写体の大きさ及び形状等によって決定されることができる。また、ターンテーブル（２７）が固定されると、それぞれのカメラモジュール（１５ａ、１５ｂ、１５ｃ、１５ｄ）が被写体に対する４つの緯線に対するイメージを撮影する。このような過程を繰り返してターンテーブル（２７）が一回りすると、撮影が完了される。
【００４６】
以下では、図７ないし図９を参照しながら本発明による３次元イメージ自動生成装置で３次元イメージを生成する方法に対して説明する。本実施例に係る３次元イメージ自動生成方法は、被写体の撮影、イメージの加工及びそれによる３次元イメージの生成、３次元イメージの自動保存及び伝送等が全部自動に行われるため、使用が便利である点に特徴がある。
【００４７】
図７を参照すると、ステップＳ１０で３次元イメージ生成装置のイメージ管理装置（３０）は、被写体の３次元イメージを生成しようとする管理者は撮影対象を指定し、動作開始命令を入力される。被写体は、販売用製品、整形のための顔イメージ、彫刻芸術品等があり得る。この場合、成形のための顔イメージは、販売用製品より高い精密度を要求する場合があるため、より精密な精度で多数枚の写真イメージを撮影する必要がある。
【００４８】
ステップＳ１５でイメージ管理装置（３０）は、ステップＳ１０を通じて指定された被写体に相応して予め指定された動作特性（すなわち、ターンテーブルの回転角度、撮影回数等）を抽出する。例えば、成形のための顔イメージの場合には、ターンテーブルの毎回転時に１０゜ずつ回転しながら３６個の経線に対するイメージを撮影するように予め指定されていてもよい。
【００４９】
ステップＳ２０でイメージ管理装置（３０）は、管理者から精密撮影要請が入力されたか否かを判断する。精密撮影要請は、より多回数の写真撮影が行われるようにするためのことである。精密撮影要請が入力される場合、ステップＳ２５でイメージ管理装置（３０）は、ステップＳ１５を通じて抽出された動作特性（例えば、ターンテーブルの回転角度、撮影回数等）を更新し、ステップＳ３０に進行する。だが、精密撮影要請が入力されない場合には、直ちにステップＳ３０に進行する。ステップＳ３０でイメージ管理装置（３０）は、イメージ撮影部（１０）に動作制御信号（すなわち、ターンテーブルの回転速度制御信号、ターンテーブルの回転角度制御信号）を伝送する。
【００５０】
イメージ撮影部（１０）は、ステップＳ３５でイメージ管理装置（３０）から動作制御信号を受信し、ステップＳ４０に進行して受信された動作制御信号に相応してイメージ撮影部の状態を調節する。例えば、動作制御信号によって、イメージ撮影部（１０）は、ターンテーブル（２７）の回転速度または一定角度回転した状態で待機するようにすることができる。このステップで、初期撮影されたイメージの状態を点検してイメージの状態によって位置、状況等を再調節するかまたは自動撮影開始を進行してもよい。
【００５１】
イメージ撮影部（１０）は、ステップＳ４５で、ステップＳ４０を通じて調節された状態でデジタルイメージを撮影し、ステップＳ５０に進行して撮影されたデジタルイメージをイメージ管理装置（３０）に伝送する。
【００５２】
イメージ管理装置（３０）は、ステップＳ５５でイメージ撮影部（１０）からデジタルイメージを受信して保存する。以後、イメージ管理装置（３０）は、ステップＳ５７で保存されたデジタルイメージを加工するが、このような加工方法が図８に示されている。
【００５３】
図８を参照すると、デジタルイメージを加工する方法は、まずステップ５７ａで保存されたデジタルイメージを自動に補正する。すなわち、クロマキー（ｃｈｒｏｍａ−ｋｅｙ）、サイズ（ｓｉｚｅ）補正、露出補正、カラー（ｃｏｌｏｒ）補正、ホワイトバランス（ｗｈｉｔｅ  ｂａｌａｎｃｅ）補正、自動センタリング（ｃｅｎｔｅｒｉｎｇ）、オートフォーカス（ａｕｔｏ  ｆｏｃｕｓ）等の機能を用いてイメージを最適の状態に補正する。
【００５４】
また、ステップ５７ｂで画面の上下及び左右回転、拡大、アニメーション機能等のような３次元ＶＲ（ｖｉｒｔｕａｌ  ｒｅａｌｉｔｙ）イメージ機能を付与する。その後、ステップ５７ｃで、前記ステップ５７ａ及びステップ５７ｂでイメージ自動補正及び３次元ＶＲイメージ機能が付加されたデジタルイメージを圧縮した後、ローディング（ｌｏａｄｉｎｇ）速度等を調整する。また、ステップ５７ｄでＶＲファイルのフォーマットを決定する。ＶＲファイルは、ＮＶＲ、ＳＷＦ、Ｍ３Ｄ、ＩＧＥＳフォーマット等のような多様なファイルフォーマットに加工されることができ、これに限定されるのではない。
【００５５】
デジタルイメージの加工が完了された後、ステップＳ６０で当該被写体に対するイメージ撮影が全部完了されたか否かを判断する。イメージ撮影が全部完了されていない場合には、ステップＳ６５に進行して動作制御信号を更新し、ステップＳ３０に再び進行する。しかし、イメージ撮影が全部完了されている場合には、ステップＳ７０に進行する。ステップＳ３０ないしステップＳ６５を通じてイメージ撮影部（１０）は、ターンテーブル（２７）が回転することによって被写体の全部位（例えば、裏表面）を全部撮影することができるようになるのである。
【００５６】
ステップＳ７０でイメージ管理装置（３０）は、撮影された複数のデジタルイメージを用いて１つの３次元イメージを生成する。１つの３次元イメージを生成する方法としては、様々な種類のファイルを合成（Ｍｅｒｇｅ）して圧縮してイメージを生成する方法が適用されることができる。勿論、実際的な１つの３次元イメージを生成する代わりに需要者の目には１つの３次元イメージのように見えるようにするために、複数のデジタルイメージを連結する方法を適用することもできる。１つの３次元イメージを生成するイメージ合成過程は、撮影されたイメージデータの補正過程、補正されたイメージデータを入力する過程、入力されたデジタルイメージ上で被写体が存在する領域と背景領域を区分して背景領域を除去する過程、被写体だけが存在するデジタルイメージの中心点を一致させる過程、一定に整列されたデータにマルチストリーミング機能（例えば、拡大、縮小、アニメーション等）を追加する過程、レコーディング過程、レコーディングと同時にそれぞれのデジタルイメージにＭＰＥＧ技術を適用して最適の用量に圧縮（例えば、ＮＶＲファイル生成）させる過程等を含むことができる。
【００５７】
ステップＳ７５でイメージ管理装置（３０）は、管理者から生成された３次元イメージ表示要請が入力されるか否かを判断する。３次元イメージ表示要請が入力される場合には、ステップＳ８０に進行して表示部（４５）に生成された３次元イメージを表示する。だが、３次元イメージ表示要請が入力されていない場合には、ステップを終了する。
【００５８】
また、ステップＳ８５でイメージ管理装置（３０）は、管理者から表示された３次元イメージの表示状態変更要請が入力されるか否かを判断する。表示状態変更要請が入力される場合には、ステップＳ９０に進行して表示位置が変更された３次元イメージを表示部（１５５）に表示する。しかし、表示状態変更要請が入力されていない場合には、ステップを終了する。
【００５９】
図９に３次元イメージが表示部（４５）に示された状態が例示されている。図９を参照すると、３次元イメージ表示画面は、３次元イメージ表示領域（４１）、機能ボタン領域（４３）を含む。機能ボタン領域（４３）には、３次元イメージ表示領域（４１）に示された３次元イメージを拡大して示すための拡大ボタン、３次元イメージを縮小して示すための縮小ボタン、３次元イメージの表示面を変更（すなわち、上下左右回転）するための回転ボタン、他のイメージを示すようにするための閉ボタンを含むことができる。すなわち、本発明に係るイメージ管理装置（３０）は、マウスの制御によって被写体の模様が上下左右回転するようにすることができ、マルチストリーミングが適用された部分では拡大、アニメーション等が表われるようにすることができる。勿論、図７には図示されていないが、ステップＳ７０を通じて生成された３次元イメージを通信網を通じて外部ウェブサーバ（４９）に伝送する過程をさらに含めることができる。
【００６０】
また、使用者の操作または予め設定された一定の制御信号によって生成された３次元イメージファイルを外部の移動式保存装置、例えば、メモリースティックまたは移動式ハードディスク等に保存することができる。
【００６１】
以上で本発明の実施例を説明したが、本発明の多様な変更例と修正例も本発明の技術的思想を具現する限り、本発明の範囲に属するものと解釈されるべきである。
【図面の簡単な説明】
【００６２】
【図１】本発明の一実施例に係る３次元イメージ自動生成装置の全体構成を表すブロック図である。
【図２】本発明の一実施例に係る３次元イメージ自動生成装置におけるイメージ撮影部を表す斜視図である。
【図３】図２に図示されたイメージ撮影部でカメラ部及び照明部が配置された状態を図示した斜視図である。
【図４】本発明の一実施例に係る３次元イメージ自動撮影装置で照明部により被写体に光が照射されてこれをカメラ部が撮影する状態を表す概路図である。
【図５】本発明の一実施例に係る背景の斜視図である。
【図６】図５の「Ａ」部分の拡大斜視図である。
【図７】本発明の一実施例に係る３次元イメージ自動生成装置でイメージが生成される方法を表すフローチャートである。
【図８】本発明の一実施例に係る３次元イメージ自動生成装置でデジタルイメージが加工される方法を表すフローチャートである。
【図９】本発明の一実施例に係る３次元イメージ自動生成装置で生成されたイメージの一例を図示した例示図である。
【符号の説明】
【００６３】
１０  イメージ撮影部
１ｌ  フレーム
１３  パネル
１５  カメラ部
１７  照明部
２１  背景
２３  周部
２４  ラウンド部
２５  センターホール
２７  ターンテーブル
２９  水平面
３０  イメージ管理装置
３１  イメージ撮影保存部
３３  イメージ撮影制御部
３５  入力部
３７  ３次元イメージ生成部
３９  制御部
４１  送受信部
４３  ３次元イメージ保存部
４５  表示部
４７  ３次元イメージ表示制御部
【図１】
2007264592.tif 000003
【図２】
2007264592.tif 000004
【図３】
2007264592.tif 000005
【図４】
2007264592.tif 000006
【図５】
2007264592.tif 000007
【図６】
2007264592.tif 000008
【図７】
2007264592.tif 000009
【図８】
2007264592.tif 000010
【図９】
2007264592.tif 000011